【誤訳訂正書】
【提出日】令和3年7月13日(2021.7.13)
【誤訳訂正１】
【訂正対象書類名】明細書
【訂正対象項目名】００１６
【訂正方法】変更
【訂正の内容】
【００１６】
オプションであるターンテーブル３４とモーター３６も、一部分は図２に、さらに詳しい様子は図３に示されている。ここに示す実施例では、ターンテーブル３４は、もう一つの回転運動型コンポーネント又は小組立部品３０の一部であってシャフト３２に接続し、その場で回転可能又は回転することとなる。モーター３６は、図２及び図３に示す通り、枠組み２０に対し、ベースプレート２１に載るような或いは近づくような形で固定することができるが、ここに示す例に置いては、シャフト３２とターンテーブル３４の両方又はそれらのいずれかの回転運動部が、同様に回転することになる。ここに示す例では、モーター３６がターンテーブル３４と係合しており、それに伴い、モーターがターンテーブルを回転させ、さらには、その回転がシャフト３２を、軸３２ａを軸とする方向に回転させる。回転運動型コネクション・交信部は単数又は複数存在し、その種類は多数に及び、その中には、ベルト型（描写無し）、ギア型（描写無し）、モーター３６とテーブル３４又はシャフト３２の表面又は端部との摩擦による係合が含まれる。
【誤訳訂正２】
【訂正対象書類名】明細書
【訂正対象項目名】００２３
【訂正方法】変更
【訂正の内容】
【００２３】
コンベアベルトを動かす小組立部品４５は、図に示すような構成であってもよい（図に示していない代替品を使用してもよい）。このコンベアベルトを動かす小組立部品４５は、図４Ｂに示されているが、詳細は図４Ｃに示される（図４Ｃでは、落下路・斜面４８の一部を切り取った状態で描かれている）。ウォーム歯車４５ａについては、シャフト又は軸４５ｃを回転させる回転ギア４５ｂを係合する様子が示されている。軸４５ｃは、操作上、側壁４２ｂと側壁４２ｃによって支持されており、内部の歯付きドラム４５ｄ（側壁４２ｃに一部隠れる様子が点線によって描かれ、ここでは点線リーダーにより示す）を回転させ、それによりそのドラムは、コンベアベルト４６の内部隆起部を係合する。ウォーム歯車４５ａが矢印４５ｅの示す方向に回転することにより、回転ギア４５ｂが矢印４６ｆの示す方向に回転する。これにより、ベルト４６は、矢印４６ｃの示す方向に動く。ウォーム歯車４５ａを回転させるためには、シャフト４３はモーター６２に係合した状態となる（図４Ａと図４Ｄに示されているが、他の詳細を示す図４Ｂ、図４Ｃ、図４Ｅには示されない）。シャフト４３につながる係合部品４７は、操作上、モーター６２とのつながりを提供する。
【誤訳訂正３】
【訂正対象書類名】明細書
【訂正対象項目名】００２７
【訂正方法】変更
【訂正の内容】
【００２７】
図４Ｄには、軸又はシャフト５３、及び係合表面５４も示されているが、どちらも機能的にピックアップ及び／又は引き渡し部又はカム５２につながっている。図４Ｅの中で、係合表面５４が描かれているが、カム５２は開口部５３ａのみを含み、そこから軸５３が配置される。回転軸５３ｂも図４Ｅに示されており、矢印５３ｃの示す回転方向はカム５２に当てはめてもよい。従って、カム５２は、機能的に軸又はシャフト５３上に配置されてもよく、それによりその回転がカム５２に伝わり、カム５２が１個の錠剤１１（図４Ｅにおける点線で一例を表示、図４Ｄには表示無し）を実際の大きさに関わらず係合する（実際の大きさとは、ヒト又はその他の動物の条件に合う適切な大きさを含む、及び／又は、意味する。ヒトや動物に引き渡しできないほど大きくなく、通常に使用できないほど小さくない）。その錠剤は、くぼみ又は落下路４８の端に移動させられてもよく、重力によって計測及び／又は分与用小組立部品８０・７０に向かって落ちる。その様子は、特に、図５Ａ、図５Ｂ、図５Ｃ、図５Ｄ、図５Ｅ、図５Ｆ、図５Ｇに関連して、後に詳しく説明する。ただし、図に示すのは、偏心又は中心を外れたカム５２であり、ここでは相対的に固定された軸５３ｃの周りを回転してもよく、カム５２の小さい方の部位は決まった場所４８ｃの付近にあり、さらに回転すると、カム５２の大きい方の部位は細孔４８ｄ内の決まった場所４８ｃに上がり、次第に表面４８ｅの上にも上がる（僅かな上昇でも錠剤１１を動かすに足る）。そして、錠剤を係合する。回転が続くことにより、錠剤は表面４８ｅから移動し、錠剤１１を表面４８ｅから持ち上げる、又はただ単に錠剤１１を表面４８ｅに沿って動かすことにより、最終的に、次に説明するように落とされる。希望する効果を得るために、他の形状や種類のカム又は移動用部品を使用してもよい。
【誤訳訂正４】
【訂正対象書類名】明細書
【訂正対象項目名】００２９
【訂正方法】変更
【訂正の内容】
【００２９】
カム５２を回転させるために、小組立部品６０のモーター６４を使ってもよい。小組立部品６０のモーター６２も、ここで説明するように、組立部品４５を介し、コンベアベルト４６を係合して動かすために使ってもよい。モーター用小組立部品６０には、図にある通り、固定枠組み部品６９と可動型枠組み部品６５が含まれ、ここにモーター６２とモーター６４、又はそのどちらかが配置されてもよい。モーター６２とモーター６４には、それぞれ回転運動型末端機構６６と回転運動型末端機構６７があっても良く、それらは係合部品４７と係合部品５６をそれぞれ係合するような構造とすることが好ましい。ここに示す実施例における係合は、突出するそれぞれのブレード６７ａとブレード６６ａがそれぞれの係合部品４７と係合部品５６を、係合部品４７の突出ピン４７ａと突出ピン４７ｂの間、及び部品５６のピン５６ａとピン５６ｂの間にそれぞれ係合している。すなわち、ブレード６７ａがそれに対応するピン４７ａとピン４７ｂまで延長され、それらの間に機能的に配置され、それとは別に、モーター６４のブレード６６ａがピン５６ａとピン５６ｂまで延長され、それらの間に機能的に配置される。すると、一つ目の例では、モーター６４によるその末端部品６６とそれに付随するブレード６６ａの回転により、ブレード６６ａはピン５６ａとピン５６ｂに係合してそれらを動かし、それにより、係合末端部５６の回転運動を生じさせ、それが軸・シャフト５３を回し、さらにそれがカム５２を回転させる。これにより、矢印５３ｃ（図４Ｅ）で示す回転効果が得られ、カムは錠剤類引き渡しのために希望の場所に、希望の場所を通して動く。同様に、２つ目の例では、モーター６２によるその末端部品６７とそれに付随するブレード６７ａの回転により、ブレード６７ａはピン４７ａとピン４７ｂに係合してそれらを動かし、それにより、係合末端部４７の回転運動（図４Ｃにわかり易く表示）を生じさせ、それがシャフト・棒４３を回し、又ギアシステム４５（例：前述の図４Ｃに関連して説明した通り、ウォーム歯車４５ａと回転ギア４５ｂがコンベアベルト４６を動かす）を回転させる。
【誤訳訂正５】
【訂正対象書類名】明細書
【訂正対象項目名】００３０
【訂正方法】変更
【訂正の内容】
【００３０】
末端機構６６と末端機構６７の延長は、多様な方法により達成可能で、ここでは、枠組み部品６５のレール６８ａとレール６８ｂに対する（相対した）可動性（レール６８ｂの大部分は見えず、その後部だけが見えているが、枠組み６９の固定部分を通って延長可能）を示す。枠組み６５は、矢印６８ｃ（レール６８ａ沿い）で示す方向に、係合末端部４７と係合末端部５６に向かって相対的に前進方向に動く。係合を外したい場合には、枠組み６５を逆方向にレール６８と相対的に（小部品６８ａ及び／又は小部品６８ｂによって限定され、且つそれらを含む）動かし、枠組み６９を図４Ｄに示す位置に動かす。
【誤訳訂正６】
【訂正対象書類名】明細書
【訂正対象項目名】００３１
【訂正方法】変更
【訂正の内容】
【００３１】
このように取外し可能なモーター小組立部品６０の係合は、１式のモーター類が１個以上の（複数の）錠剤取り扱い（コンベアベルト）及びゲート引き渡し（カム）小組立部品４０とゲート引き渡し（カム）小組立部品５０を係合する（そして取り外す）ような構成を持たせるというオプション的な機能を備えてもよい。例えば、図２では、そのような小組立部品４０と小組立部品５０が４個から８個示されている（はっきりと見えるのは４個（４０ａ、４０ｂ、４０ｃ、４０ｄとして表示）、ほとんど見えないものが２、３個（そこに含まれるのは２、３個）、そしてカバー２３の下に完全に隠れて見えないがさらに１、２個追加可能）。これら小組立部品４０と小組立部品５０のうちのどれもが、単一のモーター小組立部品６０の一部としてのモーター６２とモータ６４とそれぞれ係合し、取外しが可能である。従って、特定の時間に、錠剤類１式が特定の１組のコンベアベルト・カム小組立部品４０と５０からの引き渡しの対象になっても良く、その後、それに続く別の１組の小組立部品による動作があり、別の種類・タイプの錠剤類が配置され、モーター係合位置（小組立部品４０ｂが関連ゲート・カム小組立部品と共にモーター小組立部品６０に対面するモーター係合位置に配置されている様子については、図２を参照）に移動させられ（シャフト３４上で回転）、それぞれの錠剤類引き渡しが実行される。
【誤訳訂正７】
【訂正対象書類名】明細書
【訂正対象項目名】００３２
【訂正方法】変更
【訂正の内容】
【００３２】
ここで、図５Ａ、図５Ｂ、図５Ｃ、図５Ｄ、図５Ｅ、図５Ｆ、図５Ｇと関連して、錠剤類引き渡しオプションに関する説明を行う。まず、図５Ａに示すのは、錠剤類取り扱い小組立部品４０、それに対応する錠剤類制御小組立部品５０、計量小組立部品８０、及び出口カップ小組立部品７０である。ここでの主要部分には以下のものが含まれる：容器４４、コンベアベルト４６及び錠剤類取り扱い組立部品の一部である落下路４８；ゲート・ドア５１、カム５２、シャフト５３及び小組立部品５０の一部である錠剤類取り扱い・係合表面５４；レール７２、ベルト７４、可動型ベース７７、組立部品７０の一部であるカップ７８、及び計量小組立部品８０の一部である計量カップ８２。図４Ｃで示すような実施例における錠剤類の進行をシステム又は小組み合わせを通して追って行く。錠剤類１１はコンベアベルト積載エリア４４ａで拾われ、コンベアベルト４６にある方向４６ａに錠剤落下位置４４ｂまで進み、方向４６ｂに向かいながら斜面・落下路４８にある錠剤受け取り位置４８ａで落ちる。その後錠剤は、斜面・落下路４８に沿って方向４８ｂに滑り、最終的には錠剤類の決まった場所４８ｃ（図４Ｃには表示されないが、図４Ｄと図４Ｅを参照）に到着する。図５Ａの一番奥に見えるのが、最初の方向を示す矢印４８ｆであり、これは、落下路・斜面４８のカーブに沿って、落下路・斜面にあって最終的な動きを示す矢印４８ｇに向かう。矢印４８ｇは、錠剤１１が錠剤の決まった場所４８ｃへ向かう最後の通り道を示す。
【誤訳訂正８】
【訂正対象書類名】明細書
【訂正対象項目名】００３３
【訂正方法】変更
【訂正の内容】
【００３３】
この時点で、錠剤制御小組立部品５０がそれ以降の錠剤類１１の取り扱いと引き渡しに関する制御を担当する。ただし、図５Ｂに示すのは、錠剤取り扱い・制御用組立部品４０と錠剤取り扱い・制御用組立部品５０に相対する錠剤類１１と等しい位置であるが、過程の詳しい説明のために拡大されており、ここから、まず、図５Ｂと関連して説明を行い、それから図５Ｃ、図５Ｄ、図５Ｅ、図５Ｆ、図５Ｇへと進む。図５Ｂに示す通り、ドア５１は、落下路の動きが閉まり小組立部品５０による制御と引き渡しが始まる時に閉まる。また、小組立部品５０の過程が始まる時、カム５２（ここでは偏心又は中心を外れたカム５２）は、相対的回転（シャフト５３の周り）の最初の位置に配置され、その位置は先に述べた通り、細孔４８ｄに相対し、そこではカム５２が落下路４８の表面４８ｅの下に来て、カム５２の小さい方の部位は決まった場所４８ｃの直下にあり、カム自体は錠剤１１を係合していない。次に図５Ｃに移るが、カム５２が矢印５２ａの示す方向に回転途中である。カム５２の小さい方の部位は実質的に表面４８ｅと錠剤類１１より下にある。しかし、図５Ｄに示すように、方向５２ａに回転を続けると、偏心又は中心を外れたカム５２の大きい方の部位は、細孔４８ｄの中に上がり込み、表面４８ｅよりも少しだけでも高く上がり、錠剤類１１を持ち上げることになるが、実際には持ち上げずにただ動かすだけかも知れない。錠剤係合表面５４は、錠剤類１１を掴み、カム５２で錠剤類１１を５２ａの方向に動かせるほどの十分な摩擦を生じるように構成されてもよい。以下参照（Ｏリングのようにゴムを含むものを表面５４に使用してもよい）。
【誤訳訂正９】
【訂正対象書類名】特許請求の範囲
【訂正対象項目名】全文
【訂正方法】変更
【訂正の内容】
【特許請求の範囲】
【請求項１】
錠剤類ディスペンサー装置であって、
決まった錠剤類落下場所と、前記決まった錠剤類落下場所を限定する末端と、を備える落下路と、
前記決まった錠剤類落下場所にて錠剤類１つを、直接、前記落下路の前記末端で直接的に受領するような構造と配置を持つピックアップ部と、
により構成され、
前記ピックアップ部は、前記落下路の前記末端にある前記決まった錠剤類落下場所で錠剤類と接触するよう配置されたり、されなかったりを交互にするよう動く状態にあり、さらには、前記決まった錠剤類落下場所から前記錠剤類を移動させるべく配置され、
前記ピックアップ部は、偏心回転式で回転する部分を持つことにより回転可能となっている回転式ピックアップ部であり、前記回転式ピックアップ部は、回転する事により、前記決まった錠剤類落下場所で前記錠剤類と接触しなかったりしたりを交互に繰り返すことで、前記錠剤類を前記決まった錠剤類落下場所から移動させるよう配置される、
錠剤類ディスペンサー装置。
【請求項２】
請求項１に記載の錠剤類ディスペンサー装置において、
前記回転式ピックアップ部は、回転軸が中心からずれた偏心カムであり、
前記回転式ピックアップ部は、前記決まった錠剤類落下場所で前記偏心カムの外周面が前記錠剤類と係合しなかったりしたりを交互に繰り返すことで、前記錠剤類を前記決まった錠剤類落下場所から移動させる、
錠剤類ディスペンサー装置。
【請求項３】
請求項１に記載の錠剤類ディスペンサー装置において、さらに、以下の１つ又は両方を含む錠剤類ディスペンサー装置：
前記回転式ピックアップ部を配置するための軸であって、その軸は回転可能であり、その回転運動を前記回転式ピックアップ部に伝える；又は、
前記回転式ピックアップ部に配置された係合表面であって、前記係合表面は、前記決まった錠剤類落下場所で前記錠剤類に係合し、そこから前記錠剤類を移動させるよう配置されている。
【請求項４】
請求項１〜３のいずれか１項に記載の錠剤類ディスペンサー装置において、
前記落下路の前記末端に位置する開口可能ゲートが前記決まった錠剤類落下場所を区切り、
前記開口可能ゲートは、作動時、前記決まった錠剤類落下場所で前記錠剤類を保留する、
錠剤類ディスペンサー装置。
【請求項５】
請求項４に記載の錠剤類ディスペンサー装置において、
前記開口可能ゲートは、
前記決まった錠剤類落下場所から移動して来る前記錠剤類の動きに応じるため開口する前記ピックアップ部と共に動作するように、或いは、
前記決まった錠剤類落下場所から移動して来る前記錠剤類の動きに応じるため開口する前記ピックアップ部とは独立して動作するように
構成されている、
錠剤類ディスペンサー装置。
【請求項６】
錠剤類ディスペンサー装置であって、
決まった錠剤類落下場所と、前記決まった錠剤類落下場所を限定する末端と、を備える落下路と、
前記決まった錠剤類落下場所にて錠剤類１つを、直接、前記落下路の前記末端で直接的に受領するような構造と配置を持つピックアップ部と
により構成され、
前記ピックアップ部は、前記落下路の前記末端にある前記決まった錠剤類落下場所で錠剤類と接触するよう配置されたり、されなかったりを交互にするよう動く状態にあり、さらには、前記決まった錠剤類落下場所から前記錠剤類を移動させるべく配置され、
前記落下路には前記決まった錠剤類落下場所に前記落下路よりも幅狭の細孔が設けられており、前記細孔は作動上、前記ピックアップ部に対して配置されているが、その配置は、前記ピックアップ部が前記細孔内で動くような配置であり、その配置において、前記ピックアップ部は前記錠剤類と接触するよう配置されたり、されなかったりを交互にするよう回転し、さらには、前記決まった錠剤類落下場所から前記錠剤類を移動させるべく配置される、
錠剤類ディスペンサー装置。
【請求項７】
請求項１に記載の錠剤類ディスペンサー装置において、
前記落下路が前記錠剤類を錠剤類受領容器から前記決まった錠剤類落下場所へ移動させるよう構成されている、又は、
前記落下路が前記錠剤類を水平か下向きの方向のどれか一方、又は複数の方向へ移動させるよう構成されている、或いは、
前記落下路が、前記錠剤類を前記錠剤類受領容器から前記決まった錠剤類落下場所へ移動させるよう構成されているとともに、前記錠剤類を水平か下向きの方向のどれか一方、又は複数の方向へ移動させるよう構成されている、
錠剤類ディスペンサー装置。
【請求項８】
請求項１に記載の錠剤類ディスペンサー装置において、さらに、以下に掲げる項目のうちの１つ又は複数を含む錠剤類取り扱い小組立部品を含む錠剤類ディスペンサー装置：
１個又は複数の前記錠剤類を受領し、要求されるまで保留するための受領容器；
１個又は複数の前記錠剤類を前記受領容器から前記落下路へ移動させるよう構成されたコンベア。
【請求項９】
請求項８に記載の錠剤類ディスペンサー装置において、以下に掲げる項目のうちの１つ又は複数を満たす錠剤類ディスペンサー装置：
１個以上の前記錠剤類が前記受領容器から前記落下路へ届けられるように前記落下路と前記受領容器とのうち片方又は両方が構成されている；
前記コンベアが１個以上の前記錠剤類を前記受領容器から取り出せるよう構成されている；
前記コンベアが１個以上の前記錠剤類を前記落下路へ届けるよう構成されている。
【請求項１０】
請求項１に記載の錠剤類ディスペンサー装置において、さらに、以下に掲げる項目のうちの１つ又は複数を含むモーター小組立部品を含む前記錠剤類ディスペンサー装置：
前記ピックアップ部を係合して動かすための回転式ピックアップ部モーター；
コンベアを係合して動かすためのコンベアモーター。
【請求項１１】
請求項１０に記載の錠剤類ディスペンサー装置において、以下に掲げる項目のうちの１つ又は複数を満たす錠剤類ディスペンサー装置：
前記回転式ピックアップ部モーターは前記回転式ピックアップ部と一体化したり離れたりする；
前記コンベアモーターは、前記コンベアと一体化したり離れたりする；
前記回転式ピックアップ部モーターには、前記回転式ピックアップ部と一体化したり離れたりする突出部分がある；
前記コンベアモーターには、前記コンベアと一体化したり離れたりする突出部分がある；
前記回転式ピックアップ部には、前記回転式ピックアップ部モーターと一体化したり離れたりするよう配置された１対のピンがある；
前記コンベアには、前記コンベアモーターと一体化したり離れたりするよう配置された１対のピンがある。
【請求項１２】
請求項１に記載の錠剤類ディスペンサー装置において、前記錠剤類ディスペンサー装置はさらに、計量用小組立部品と引き渡し用小組立部品のうちの１つ又は複数を備え、
前記計量用小組立部品と前記引き渡し用小組立部品とのうちの片方又は両方が前記回転式ピックアップ部から１個以上の前記錠剤類を受領するように構成されている、
錠剤類ディスペンサー装置。
【請求項１３】
請求項１２に記載の錠剤類ディスペンサー装置において、以下に掲げる項目のうち１つ又は複数を満たす錠剤類ディスペンサー装置：
前記計量用小組立部品は、前記回転式ピックアップ部から１個以上の前記錠剤類を受領するよう構成されている；
前記計量用小組立部品は、前記引き渡し用小組立部品への１個以上の正しい量の錠剤類引き渡しを確認するよう構成されている；
前記計量用小組立部品は、１個以上の正しい量の錠剤類引き渡しをその重量で確認するよう構成されている；
前記計量用小組立部品は、前記引き渡し用小組立部品に１個以上の前記錠剤類を引き渡すよう構成されている；
前記計量用小組立部品は、ユーザーに１個以上の前記錠剤類を引き渡すよう構成されている；
前記引き渡し用小組立部品は、前記計量用小組立部品と前記回転式ピックアップ部の片方又は両方から１個以上の前記錠剤類を受領するよう構成されている；
前記引き渡し用小組立部品は、ユーザーに１個以上の前記錠剤類を引き渡すよう構成されており；
前記引き渡し用小組立部品には、前記計量用小組立部品と前記回転式ピックアップ部の片方又は両方から１個以上の前記錠剤類を受領し、ユーザーに引き渡すよう構成された１個又は複数の引き渡し容器が備わる。
【請求項１４】
請求項１に記載の錠剤類ディスペンサー装置において、さらに、以下に掲げる項目のうち１つ又は複数を備える錠剤類ディスペンサー装置：
ハウジングと
枠組み小組立部品であって、
前記ハウジングには、錠剤類受入れ用開口部と錠剤類引き渡し用開口部のうちどちらか又は両方が備わっており、
前記枠組み小組立部品には、基盤プレート、１個又は複数の支柱、枠組み天井部のうちの１つ又は複数が備わっている；
前記ハウジングと前記枠組み小組立部品のうち片方又は両方には、１個以上の前記錠剤類を受領するための開口部が備わっている；
前記ハウジングと前記枠組み小組立部品のうち片方又は両方には、受領容器に近づく１個以上の前記錠剤類の受領を容易にするよう設けられた開口部が備わっており、
前記ハウジングと前記枠組み小組立部品のうち片方又は両方に備わる開口部には、それぞれ開口部を閉じるためのドアが備わっている。
【請求項１５】
請求項１に記載の錠剤類ディスペンサー装置において、さらに、枠組み小組立部品に接続し、以下に掲げるもののうち１つ又は複数を含む回転式小組立部品を含む錠剤類ディスペンサー装置：
前記枠組み小組立部品に接続する回転式シャフト；
前記回転式シャフトに接続するターンテーブル；
回転運動型小組立部品。
【請求項１６】
請求項１５に記載の錠剤類ディスペンサー装置において、以下に掲げる項目のうち１つ又は複数を満たす錠剤類ディスペンサー装置：
前記錠剤類ディスペンサー装置に前記ターンテーブルが備わっている時には、１個以上の前記ピックアップ部が前記回転式シャフトと前記ターンテーブルの片方又は両方に対して動作可能に配置されている；
前記錠剤類ディスペンサー装置に前記ターンテーブルが備わっている時には、前記決まった錠剤類落下場所と前記ピックアップ部の各組み合わせのうちの１組又は複数組が前記回転式シャフトと前記ターンテーブルの片方又は両方に対して動作可能に配置されている；
前記錠剤類ディスペンサー装置に前記ターンテーブルが備わっている時には、前記落下路と前記ピックアップ部の各組み合わせのうちの１組又は複数組が前記回転式シャフトと前記ターンテーブルの片方又は両方に対して動作可能に配置されている；
前記錠剤類ディスペンサー装置に前記ターンテーブルが備わっている時には、錠剤類取り扱い小組立部品と前記ピックアップ部の各組み合わせのうちの１組又は複数が前記回転式シャフトと前記ターンテーブルの片方又は両方に対して動作可能に配置されている；
前記錠剤類ディスペンサー装置に前記ターンテーブルが備わっている時には、前記決まった錠剤類落下場所と前記ピックアップ部の２個の別個の組み合わせが前記回転式シャフトと前記ターンテーブルの片方又は両方に対して動作可能に配置されている；
前記錠剤類ディスペンサー装置に前記ターンテーブルが備わっている時には、前記決まった錠剤類落下場所と前記ピックアップ部の４個の別個の組み合わせが前記回転式シャフトと前記ターンテーブルの片方又は両方に対して動作可能に配置されている；
前記錠剤類ディスペンサー装置に前記ターンテーブルが備わっている時には、前記決まった錠剤類落下場所と前記ピックアップ部の８個の別個の組み合わせが前記回転式シャフトと前記ターンテーブルの片方又は両方に対して動作可能に配置されている；
前記錠剤類ディスペンサー装置に前記ターンテーブルが備わっている時には、前記決まった錠剤類落下場所と前記ピックアップ部の１６個の別個の組み合わせが前記回転式シャフトと前記ターンテーブルの片方又は両方に対して動作可能に配置されている；
前記錠剤類ディスペンサー装置に前記ターンテーブルが備わっている時には、前記ターンテーブルは、前記回転式小組立部品の回転位置を決める回転運動型小組立部品によって運転可能である；
前記錠剤類ディスペンサー装置に前記ターンテーブルが備わっている時には、前記ターンテーブルには、前記回転式小組立部品の回転位置を決めるために、前記回転式小組立部品の一部であるセンサー列に対し共働するように配置された１個以上の隆起部が備わっている。
【請求項１７】
請求項１に記載の錠剤類ディスペンサー装置において、さらに、制御部を含み、前記制御部は前記ピックアップ部に接続し、前記ピックアップ部を制御するよう配置されている、
錠剤類ディスペンサー装置。
【請求項１８】
請求項１７に記載の錠剤類ディスペンサー装置において、以下に掲げる項目のうち１つ又は複数を満たす前記錠剤類ディスペンサー装置：
前記制御部は、前記ピックアップ部の動作を制御するための１式又は複数の電気的又は電子的信号を提供する；
前記制御部は、１式又は複数の電気的又は電子的信号を回転式ピックアップ部モーターに提供するが、その信号により、前記回転式ピックアップ部モーターが前記ピックアップ部と一体化したり離れたりしながらその動作を制御する；
前記制御部は、前記決まった錠剤類落下場所におけるゲートの動きを制御するための１式又は複数の電気的又は電子的信号を提供する；
前記制御部は、１式又は複数の電気的又は電子的信号をゲートモーターに提供するが、その信号により、前記ゲートモーターが前記ゲートと一体化したり離れたりしながらその動作を制御する；
前記制御部は、コンベアの動きを制御するための１式又は複数の電気的又は電子的信号を提供する；
前記制御部は、１式又は複数の電気的又は電子的信号をコンベアモーターに提供するが、その信号により、前記コンベアモーターが前記コンベアと一体化したり離れたりしながらその動作を制御する；
前記制御部は、バイブレーターの動きを制御するための１式又は複数の電気的又は電子的信号を提供する；
前記制御部は、１式又は複数の電気的又は電子的信号をバイブレーターモーターに提供するが、その信号により、前記バイブレーターモーターが前記バイブレーターを作動させ、前記バイブレーターと一体化したり離れたりしながらその動作を制御する；
前記制御部は、回転式小組立部品の動きを制御するための１式又は複数の電気的又は電子的信号を提供する；
前記制御部は、１式又は複数の電気的又は電子的信号を回転式小組立部品モーターに提供するが、その信号により、前記回転式小組立部品モーターが前記回転式小組立部品と一体化したり離れたりしながらその動作を制御する；
前記制御部は、計量用小組立部品の動きを制御するための１式又は複数の電気的又は電子的信号を提供する；
前記制御部は、１式又は複数の電気的又は電子的信号を計量用小組立部品モーターに提供するが、その信号により、前記計量用小組立部品モーターが前記計量用小組立部品と一体化したり離れたりしながらその動作を制御する；
前記制御部は、錠剤類引き渡し用小組立部品の動きを制御するための１式又は複数の電気的又は電子的信号を提供する；
前記制御部は、１式又は複数の電気的又は電子的信号を錠剤類引き渡し用小組立部品モーターに提供するが、その信号により、前記錠剤類引き渡し用小組立部品モーターが前記回転式小組立部品と一体化したり離れたりしながらその動作を制御する；
前記制御部は、錠剤類受領ドアの開閉及び引き渡しドアの開閉のいずれか又は両方を制御するための１式又は複数の電気的又は電子的信号を提供する；
前記制御部は、１式又は複数の電気的又は電子的信号を前記錠剤類受領ドア及び前記引き渡しドアのいずれか又は両方を制御するモーターに提供するが、その信号により、前記錠剤類受領ドアの開閉及び前記引き渡しドアの開閉のいずれか又は両方を制御するモーターが、前記錠剤類受領ドア及び前記引き渡しドアのいずれか又は両方と一体化したり離れたりしながらその動作を制御する。
【請求項１９】
請求項１に記載の錠剤類ディスペンサー装置において、さらに、センサー小組立部品を含み、前記センサー小組立部品は、決まった場所にある１個以上の前記錠剤類を感知するよう配置された最低１個のセンサーを備えている、
錠剤類ディスペンサー装置。
【請求項２０】
請求項１９に記載の錠剤類ディスペンサー装置において、以下に掲げる項目のうち１つ又は複数を満たす錠剤類ディスペンサー装置：
前記センサー小組立部品は、制御部に、１個以上の前記錠剤類が前記決まった錠剤類落下場所に存在することを示す信号を提供する；
前記センサー小組立部品は、前記制御部に、１個以上の前記錠剤類が前記落下路に存在することを示す信号を提供する；
前記センサー小組立部品は、前記制御部に信号を提供し、その信号により、前記ピックアップ部の動きを制御するための１式又は複数の電気的又は電子的信号が提供される；
前記センサー小組立部品は、前記制御部に信号を提供し、その信号により、回転式ピックアップ部モーターが前記ピックアップ部と一体化したり離れたりしながらその動作を制御するための１式又は複数の電気的又は電子的信号が前記回転式ピックアップ部モーターに提供される。